(57)【要約】【課題】扉の開閉状態の検知機能を有さない既存の扉に対して、扉の開閉状態を検知可能にすることが容易な扉開閉状態検知ユニット、及びこの扉開閉状態検知ユニットを備えた開閉検知機能付扉を提供する。【解決手段】扉開閉状態検知ユニット１は、ラッチボルトを有する板状の扉２の外面２３に取り付け可能に構成され、扉２の開閉状態を検知する扉開閉状態検知ユニット１であって、扉２に取り付けられた状態で扉２の戸先２５方向に向くように光を放射する赤外線ＬＥＤ３１と、戸先２５方向からの光を検出するフォトダイオード３２１を備える光検出部３２と、光検出部３２による光の検出の有無に基づいて、扉２の開閉状態を検知する開閉検知部１４１とを備えた。【選択図】図６
2019206795.tif 000002
【特許請求の範囲】
【請求項１】
ラッチボルトを有する板状の扉の一方の面に取り付け可能に構成され、前記扉の開閉状態を検知する扉開閉状態検知ユニットであって、
前記扉に取り付けられた状態で前記扉の戸先方向に向くように光を放射する光源と、
前記戸先方向からの前記光を検出する光検出部と、
前記光検出部による前記光の検出の有無に基づいて、前記扉の開閉状態を検知する開閉検知部とを備える扉開閉状態検知ユニット。
【請求項２】
前記光源は、前記一方の面に沿い、かつ前記一方の面に近接して前記光を放射する請求項１記載の扉開閉状態検知ユニット。
【請求項３】
前記光源は、前記扉が閉じられたときに前記扉の戸枠に取り付けられたストライクが位置することになる方向に向けて前記光を放射し、
前記光検出部は、前記扉が閉じられたときに前記ストライクで反射した光を検出する請求項１又は２に記載の扉開閉状態検知ユニット。
【請求項４】
前記光源は、前記光として赤外線光を放射する請求項１〜３のいずれか１項に記載の扉開閉状態検知ユニット。
【請求項５】
前記光源は、前記光を１２０Ｈｚよりも高い点滅周波数で点滅させて出力し、
前記光検出部は、
前記光を電気信号に変換する変換部と、
１２０Ｈｚ以上であり、かつ前記点滅周波数よりも低い遮断周波数を有するハイパスフィルタとを備え、
前記開閉検知部は、前記ハイパスフィルタを通過した信号に基づいて前記扉の開閉状態を検知する請求項１〜４のいずれか１項に記載の扉開閉状態検知ユニット。
【請求項６】
前記扉の錠を駆動する錠機構と、
前記開閉検知部による検知結果に応じて前記錠機構を制御する制御部と、
前記光源、前記光検出部、前記開閉検知部、前記錠機構、及び前記制御部を、前記扉に取り付け可能に収容する筐体とをさらに備え、
前記扉には、その厚み内に前記扉を施錠及び解錠する錠本体が収納され、
前記錠本体には、前記施錠及び解錠するための駆動力を受け付ける錠側係合部が設けられ、
前記錠機構は、前記錠側係合部と係合する係合部を備え、前記係合部を駆動することによって前記錠本体を施錠又は解錠させる請求項１〜５のいずれか１項に記載の扉開閉状態検知ユニット。
【請求項７】
前記制御部は、前記開閉検知部によって、前記扉が閉まっていることが検知されたとき、前記錠機構により前記錠を施錠させる請求項６記載の扉開閉状態検知ユニット。
【請求項８】
前記扉の外側に設けられ、ユーザを認証するための認証情報を取得する認証情報取得部をさらに備え、
前記制御部は、前記認証情報に基づく認証が成功した場合、前記錠機構によって前記錠本体を解錠させる請求項６又は７記載の扉開閉状態検知ユニット。
【請求項９】
前記認証情報取得部は、虹彩認証のための虹彩画像を前記認証情報として取得する請求項８記載の扉開閉状態検知ユニット。
【請求項１０】
請求項１〜９のいずれか１項に記載の扉開閉状態検知ユニットと、
前記扉とを備える開閉検知機能付扉。
【発明の詳細な説明】
【技術分野】
【０００１】
本発明は、扉に取り付け可能な扉開閉状態検知ユニット、及びこの扉開閉状態検知ユニットを備えた開閉検知機能付扉に関する。
【背景技術】
【０００２】
従来より、デッドボルトを進退させる電気錠を備えた扉では、扉が開いた状態でデッドボルトを突出させると扉が施錠されないままになってしまうので、扉の開閉状態を検知するセンサを備え、扉が閉まっているときに電気錠で施錠するようになっている。また、ビルの警備システムなどでは、ビル内の扉に、各扉の開閉状態を検知するセンサを取り付け、各扉の開閉状態を監視する場合がある。
【０００３】
このように、扉の開閉状態を検知する方法として、扉の戸先に設けられたラッチボルトの下方にリードスイッチを埋め込んでおき、扉が閉まったときにそのリードスイッチと対向する壁の位置に磁石を埋め込んでおく方法が知られている（例えば、特許文献１参照。）。この方法では、扉が閉じるとリードスイッチと磁石とが近接してリードスイッチがオンし、扉が開くとリードスイッチと磁石とが離れてリードスイッチがオフする。このように、リードスイッチのオンオフで扉の開閉が検知されるようになっている。
【先行技術文献】
【特許文献】
【０００４】
【特許文献１】特開２００７−４００２１号公報（段落００３７）
【発明の概要】
【発明が解決しようとする課題】
【０００５】
ところで、扉の開閉状態を検知するセンサを備えていない既存の扉に、上述のような開閉状態を検知する機構を後から追加しようとすると、扉に穴を開けてリードスイッチを埋め込んだり、建物の壁に穴を開けて磁石を埋め込んだりする必要があるため、扉の開閉状態を検知可能にするための工事や加工が大掛かりとなるという不都合があった。
【０００６】
本発明の目的は、扉の開閉状態の検知機能を有さない既存の扉に対して、扉の開閉状態を検知可能にすることが容易な扉開閉状態検知ユニット、及びこの扉開閉状態検知ユニットを備えた開閉検知機能付扉を提供することである。
【課題を解決するための手段】
【０００７】
本発明に係る扉開閉状態検知ユニットは、ラッチボルトを有する板状の扉の一方の面に取り付け可能に構成され、前記扉の開閉状態を検知する扉開閉状態検知ユニットであって、前記扉に取り付けられた状態で前記扉の戸先方向に向くように光を放射する光源と、前記戸先方向からの前記光を検出する光検出部と、前記光検出部による前記光の検出の有無に基づいて、前記扉の開閉状態を検知する開閉検知部とを備える。
【０００８】
ラッチボルトを有する扉が取り付けられた扉枠（壁）には、扉を閉めるときにラッチボルトがスムーズに扉内に退避するように、かつラッチボルトが扉枠に当たって扉枠が傷つかないように、金属のストライクが取り付けられている。この構成によれば、扉開閉状態検知ユニットを扉に取り付けると、光源から扉の戸先方向に向けて光が放射される。扉が閉まっていれば、扉の戸先方向には上述のストライクが取り付けられているから、放射された光がストライクで反射し、光検出部によって検出される。一方、扉が開いていれば、扉の戸先方向には上述のストライクがないから、光は反射せず、光検出部は光を検出しない。その結果、開閉検知部は、光検出部による光の検出の有無に基づいて、扉の開閉状態を検知することができる。そうすると、背景技術のように壁や扉に穴を開けて磁石やリレースイッチを埋め込んだりすることなく、扉開閉状態検知ユニットを扉の一方の面に取り付けることにより、扉の開閉状態を検知可能にすることができるので、扉開閉状態検知ユニットは、扉の開閉状態の検知機能を有さない既存の扉に対して扉の開閉状態を検知可能にすることが容易である。
【０００９】
また、前記光源は、前記一方の面に沿い、かつ前記一方の面に近接して前記光を放射することが好ましい。
【００１０】
この構成によれば、扉が閉まっているとき、戸先側にあるストライクが扉枠から突出している部分に光が当たるので、その反射光を光検出部で検出することが容易となる。
【００１１】
また、前記光源は、前記扉が閉じられたときに前記扉の戸枠に取り付けられたストライクが位置することになる方向に向けて前記光を放射し、前記光検出部は、前記扉が閉じられたときに前記ストライクで反射した光を検出することが好ましい。
【００１２】
この構成によれば、扉が閉まっていれば、光源から放射された光がストライクで反射し、光検出部によって検出される。一方、扉が開いていれば、ストライクで光が反射せず、光検出部は光を検出しない。その結果、開閉検知部は、光検出部による光の検出の有無に基づいて、扉の開閉状態を検知することができる。
【００１３】
また、前記光源は、前記光として赤外線光を放射することが好ましい。
【００１４】
この構成によれば、光源から放射された赤外線光は人の目に見えないので、ユーザに違和感を感じさせることなく扉の開閉状態を検知することができる。
【００１５】
また、前記光源は、前記光を１２０Ｈｚよりも高い点滅周波数で点滅させて出力し、前記光検出部は、前記光を電気信号に変換する変換部と、１２０Ｈｚ以上であり、かつ前記点滅周波数よりも低い遮断周波数を有するハイパスフィルタとを備え、前記開閉検知部は、前記ハイパスフィルタを通過した信号に基づいて前記扉の開閉状態を検知することが好ましい。
【００１６】
光検出部には、太陽光や照明光が当たる場合がある。しかしながら、このような太陽光や照明光は、通常、ハイパスフィルタの遮断周波数より高い点滅の周波数成分を有さないので、このような光が光検出部で受光された場合であっても、その出力信号はハイパスフィルタで遮断される。照明光の中でも、蛍光灯の場合は、商用交流周波数の２倍、１００Ｈｚ又は１２０Ｈｚで点滅する。しかしながら、ハイパスフィルタの遮断周波数は１２０Ｈｚ以上にされており、１２０Ｈｚ以下の周波数を遮断するので、光検出部は、蛍光灯の光を誤って検出することが防止される。
【００１７】
また、前記扉の錠を駆動する錠機構と、前記開閉検知部による検知結果に応じて前記錠機構を制御する制御部と、前記光源、前記光検出部、前記開閉検知部、前記錠機構、及び前記制御部を、前記扉に取り付け可能に収容する筐体とをさらに備え、前記扉には、その厚み内に前記扉を施錠及び解錠する錠本体が収納され、前記錠本体には、前記施錠及び解錠するための駆動力を受け付ける錠側係合部が設けられ、前記錠機構は、前記錠側係合部と係合する係合部を備え、前記係合部を駆動することによって前記錠本体を施錠又は解錠させることが好ましい。
【００１８】
この構成によれば、扉開閉状態検知ユニットは、光源、光検出部、開閉検知部、錠機構、及び制御部を扉に取り付け可能に収容する筐体を備え、錠機構は、いわゆる箱錠と称される錠本体の錠側係合部と係合する係合部を備えているので、既存の扉に筐体に収容された扉開閉状態検知ユニットを取り付け、既存の扉が備える錠本体の錠側係合部と係合部とを係合させることによって、既存の扉に扉開閉状態検知ユニットを容易に取り付けることができる。扉開閉状態検知ユニットは、係合部を駆動することによって錠本体を施錠又は解錠させることができるので、既存の扉に対してオートロック機構を取り付けることが容易となる。
【００１９】
また、前記制御部は、前記開閉検知部によって、前記扉が閉まっていることが検知されたとき、前記錠機構により前記錠を施錠させることが好ましい。
【００２０】
この構成によれば、扉に扉開閉状態検知ユニットを取り付けることによって、扉が閉まると自動的に施錠されるオートロック機構が実現される。
【００２１】
また、前記扉の外側に設けられ、ユーザを認証するための認証情報を取得する認証情報取得部をさらに備え、前記制御部は、前記認証情報に基づく認証が成功した場合、前記錠機構によって前記錠本体を解錠させることが好ましい。
【００２２】
この構成によれば、扉に扉開閉状態検知ユニットを取り付けることによって、ユーザ認証によって扉を解錠するオートロック機構が実現される。
【００２３】
また、前記認証情報取得部は、虹彩認証のための虹彩画像を前記認証情報として取得することが好ましい。
【００２４】
この構成によれば、扉に扉開閉状態検知ユニットを取り付けることによって、虹彩認証によって扉を解錠するオートロック機構が実現される。
【００２５】
また、本発明に係る開閉検知機能付扉は、上述の扉開閉状態検知ユニットと、前記扉とを備える。
【００２６】
扉の開閉状態の検知機能を有さない既存の扉に上述の扉開閉状態検知ユニットが取り付けられた開閉検知機能付扉は、扉の開閉状態を検知可能となる。
【発明の効果】
【００２７】
このような構成の扉開閉状態検知ユニットは、扉の開閉状態の検知機能を有さない既存の扉に対して、扉の開閉状態を検知可能にすることが容易であり、この扉開閉状態検知ユニットを備えた開閉検知機能付扉は、扉の開閉状態を検知可能となる。
【図面の簡単な説明】
【００２８】
【図１】本発明の第一実施形態に係る電気錠付扉の一例を示す斜視図である。
【図２】図１に示す扉の内側の面及び扉が取り付けられた部屋の壁面を、部屋の内側から見た斜視図である。
【図３】図１に示す錠制御ユニット及び扉の、第一ハンドル、第二ハンドル付近の部分拡大図である。
【図４】本発明に係る電源制御システムの主に電気的構成の一例を概念的に示すブロック図である。
【図５】導電部材による接続構造を説明するための説明図である。
【図６】扉の開閉状態の検知方法を説明するための説明図である。
【図７】扉の開閉状態の検知方法を説明するための説明図である。
【図８】図２に示す電源制御装置の構成の一例を示すブロック図である。
【図９】錠制御ユニット及び電源制御システムの動作の一例を示すフローチャートである。
【図１０】錠制御ユニット及び電源制御システムの動作の一例を示すフローチャートである。
【発明を実施するための形態】
【００２９】
以下、本発明に係る実施形態を図面に基づいて説明する。なお、各図において同一の符号を付した構成は、同一の構成であることを示し、その説明を省略する。図１は、本発明の第一実施形態に係る電気錠付扉２０の一例を示す斜視図である。電気錠付扉２０は、扉２に錠制御ユニット１が取り付けられて構成されている。電気錠付扉２０は、開閉検知機能付扉の一例に相当している。錠制御ユニット１は、虹彩認証を行う虹彩認証装置として構成されている。錠制御ユニット１は、扉開閉状態検知ユニットの一例に相当している。
【００３０】
扉２の外側の面である外面２３には、第二ハンドル１２が取り付けられている。錠制御ユニット１は、壁面２０１に取り付けられた扉２の外面２３における第二ハンドル１２付近に取り付けられている。図１に示す扉２は、その長尺方向が建具として鉛直に配置されることが予定された方向（以下、単に上下方向と称する）とされており、扉２の上下方向が鉛直になるように壁面２０１に取り付けられている。
【００３１】
扉２は、例えばホテルの各部屋の扉であってもよく、集合住宅や戸建て住宅の扉であってもよく、ビルの出入口やオフィス内の扉であってもよい。錠制御ユニット１は、種々の扉に取り付けて用いることができるが、特にホテルの各部屋の扉２用の虹彩認証装置として、好適に用いることができる。
【００３２】
錠制御ユニット１は、第二ハンドル１２付近に取り付けられているので、通常、錠制御ユニット１の位置よりも上方にユーザＵの目、すなわち虹彩が位置することになる。なお、子供の目の位置は、錠制御ユニット１の位置より下になる場合があるが、例えば扉２を、ホテルの部屋の扉とした場合、通常宿泊客は大人であるから、錠制御ユニット１の位置よりも上方にユーザＵの目が位置する確率が高くなる。
【００３３】
図２は、図１に示す扉２の内側の面及び扉２が取り付けられた部屋の壁面を、部屋の内側から見た斜視図である。扉２の内側の面である内面２４には、第一ハンドル１１が取り付けられている。部屋内の壁面には、電源制御装置６が取り付けられている。錠制御ユニット１と電源制御装置６とから、電源制御システムの一例が構成されている。
【００３４】
図３は、図１に示す錠制御ユニット１及び扉２の、第一ハンドル１１、第二ハンドル１２付近の部分拡大図である。扉２における第一ハンドル１１、第二ハンドル１２の取付位置付近には、扉２の厚み内に、扉２を施錠及び解錠する錠本体２２が収納されている。
【００３５】
錠本体２２は、いわゆる箱錠（ケースロック）である。錠本体２２は、ユーザＵによる第一ハンドル１１、第二ハンドル１２の操作と連動して進退するラッチボルト２２１、扉２を施錠するためのデッドボルト２２２、ラッチボルト２２１を進退させるための駆動力を第一ハンドル１１、第二ハンドル１２から受け付けるハンドル取付部２２３、デッドボルト２２２を進退させるための駆動力を駆動キー１２２から受け付ける錠側係合部２２５、ハンドル取付部２２３の回動運動をラッチボルト２２１を進退させるための直線運動に変換し、錠側係合部２２５の回動運動をデッドボルト２２２を進退させるための直線運動に変換する図略の伝達機構、及びこれらを収容する略箱状のケース２２７を備えている。
【００３６】
ラッチボルト２２１、及びデッドボルト２２２は、伝達機構により進退することにより、扉２の戸先２５から突出したり、扉２内に引き込まれたりする。
【００３７】
第二ハンドル１２は、ユーザが把持するための略棒状の第二把持部２１０と、第二把持部２１０の一方端部付近から第二把持部２１０の軸方向と垂直な方向に延びる軸部２１とを備えている。軸部２１は、例えば四角柱形状のシャフト２１２と、シャフト２１２を第二把持部２１０に取り付けるための円柱状の取付部２１１とを含む。
【００３８】
錠本体２２のハンドル取付部２２３には、シャフト２１２を貫通させることが可能なシャフト貫通穴２２４が形成されている。シャフト貫通穴２２４の貫通方向と直交する方向の断面形状は、シャフト２１２と嵌合する形状とされている。
【００３９】
第一ハンドル１１は、ユーザが把持するための略棒状の第一把持部２１３と、第一把持部２１３の一方端部付近から第一把持部２１３の軸方向と垂直な方向に延びる円柱状の嵌合部２１４とを備えている。嵌合部２１４には、シャフト２１２の先端部を受け入れる嵌合穴２１５が形成されている。嵌合穴２１５の深さ方向と直交する方向の断面形状は、シャフト２１２の先端部と嵌合する形状とされている。
【００４０】
シャフト２１２及びシャフト貫通穴２２４の大きさ、形状は、扉及び錠業界において事実上、標準規格化されている。従って、既存の扉２に対して、元々取り付けられていたハンドルを取り外し、代わりに標準規格化された形状及び太さのシャフト２１２を備えた第二ハンドル１２と、これに対応する第一ハンドル１１とを取り付けることは容易である。なお、第一把持部２１３及び第二把持部２１０は、ハンドルのユーザが把持するための部分であればよく、棒状に限られず、例えば球状であってもよく、その他の形状であってもよい。
【００４１】
錠制御ユニット１は、上下方向に長尺の略箱状の筐体１０を備えている。筐体１０には、カメラ１０１、及び後述する錠機構１０２、無線送信部１８、接触検知部１７、発振回路３３、赤外線ＬＥＤ３１、光検出部３２、及び制御部１０４が一体に、かつ扉２の外面２３に取り付け可能に収容されている。錠機構１０２は、駆動部１２１（図４）と駆動キー１２２とを備え、扉２を解錠及び施錠する。錠機構１０２は、解錠機構及び施錠機構の一例に相当している。
【００４２】
筐体１０の、扉２への取付面側からは、錠側係合部２２５と係合する駆動キー１２２（係合部）が突出している。駆動キー１２２は、後述する駆動部１２１により回動される。筐体１０には、第二ハンドル１２の軸部２１が貫通する貫通孔１３が形成されている。錠側係合部２２５には、駆動キー１２２と嵌合して係合するための溝部２２６が形成されている。
【００４３】
これにより、扉２に錠制御ユニット１を密着させ、駆動キー１２２を溝部２２６に挿入して駆動キー１２２に錠側係合部２２５を係合させた状態で、第二ハンドル１２の軸部２１を貫通孔１３及びシャフト貫通穴２２４に貫通させ、軸部２１の先端部すなわちシャフト２１２の先端部を嵌合穴２１５に挿入することで、第一ハンドル１１、第二ハンドル１２及び錠制御ユニット１が扉２に取り付けられるようになっている。嵌合部２１４の側面には、ボルト２１６を挿入可能なネジ穴２１７が形成されている。シャフト２１２の先端部を嵌合穴２１５に挿入し、ネジ穴２１７にボルト２１６を螺嵌することによって、シャフト２１２が第一ハンドル１１に固定される。
【００４４】
第一ハンドル１１、第二ハンドル１２及び錠制御ユニット１が扉２に取り付けられた状態で、第一ハンドル１１、第二ハンドル１２が操作されると、軸部２１が回動し、その回動運動がハンドル取付部２２３によってラッチボルト２２１の直線運動に変換されて、ラッチボルト２２１が扉２内に引き込まれて扉２を開けることができるようにされている。
【００４５】
錠側係合部２２５には、通常はいわゆるシリンダーが取り付けられ、錠側係合部２２５は、シリンダーと係合するようになっている。シリンダーは、鍵が差し込まれる部分で、そのシリンダー用以外のキーでは回転しないようになっているものである。
【００４６】
シリンダーを取り付けるため、錠側係合部２２５には、シリンダーを取り付けるための取付機構が設けられている。そこで、錠制御ユニット１を備えていない通常の扉２から、シリンダーとハンドルとを取り外した後に扉２に錠制御ユニット１を取り付けることによって、既存の扉２に容易に錠制御ユニット１を取り付けることができる。
【００４７】
なお、一般に、扉の内側にはサムターンが取り付けられている。サムターンは、デッドボルトを出し入れするためのつまみである。扉の内側にも、サムターンと係合するための錠側係合部２２５が設けられている。従って、既存の扉２から内側のサムターンとハンドルとを取り外し、扉２に錠制御ユニット１を取り付けてサムターン用の錠側係合部２２５に駆動キー１２２を係合させることによって、既存の扉２の内側に錠制御ユニット１を取り付けてもよい。
【００４８】
筐体１０の上面の少なくとも一部は、水平方向に対して傾斜した傾斜面１５とされている。傾斜面１５にはコールドミラー１６が貼付されている。コールドミラー１６は、赤外線を透過し可視光を反射する鏡である。なお、図略の例えば赤外線ＬＥＤ（Light Emitting Diode）等で構成された赤外線照明を備え、赤外線によってユーザＵの目を照明するようにしてもよい。
【００４９】
筐体１０の内部には、コールドミラー１６を通してユーザＵの目を撮像するためのカメラ１０１（認証情報取得部）が配設されている。カメラ１０１は、例えばＣＭＯＳ（Complementary Metal Oxide Semiconductor）撮像素子やＣＣＤ（Charge Coupled Device）等の撮像素子と、この撮像素子に画像を結像するレンズとを用いて構成され、撮像部の一例に相当している。カメラ１０１は、撮像された画像を示す画像データを後述の制御部１０４へ出力する。
【００５０】
カメラ１０１の撮像方向Ａ、すなわちカメラ１０１のレンズの光軸方向は、水平方向よりも上方に傾斜している。上述したとおり、通常、錠制御ユニット１の位置よりも上方にユーザＵの目が位置するから、カメラ１０１の撮像方向Ａを、水平方向よりも上方に傾斜させて錠制御ユニット１の上方を撮影することで、ユーザＵの目を撮像することが容易となる。
【００５１】
また、ユーザＵは、コールドミラー１６に自分の目が写るようにすることで、適切な撮像位置に自分の目を位置させることができる。また、赤外光により撮像することで、虹彩の色の違いと関わりなく虹彩画像を撮像でき、虹彩認証の処理が容易となる。さらに、赤外光により照明するようにすれば、ユーザに眩しさを感じさせることなく照明することができる。錠制御ユニット１が備えるその他の構成要素については後述する。
【００５２】
なお、必ずしも扉２がデッドボルト２２２を備え、錠制御ユニット１がデッドボルト２２２を進退させて扉２の施錠、解錠を切り替える例に限らない。例えば、扉２はデッドボルト２２２を備えず、錠側係合部２２５によって受け付けられた駆動力によって、第二ハンドル１２を固定（ロック）したり第二ハンドル１２を回動自在（アンロック）したりするハンドルロック機構を備える構成としてもよい。
【００５３】
そして、錠機構１０２は、駆動キー１２２を駆動して第二ハンドル１２を動かせないように固定してラッチボルト２２１を扉２内に引き込めないようにすることで扉２を施錠し、駆動キー１２２を駆動して第二ハンドル１２の固定を解除して第二ハンドル１２の操作と連動してラッチボルト２２１を扉２内に引き込めるようにすることによって扉２を解錠する構成としてもよい。
【００５４】
あるいは、錠側係合部２２５によって受け付けられた駆動力によって、第二ハンドル１２とラッチボルト２２１との連動を遮断（ロック）する状態と、第二ハンドル１２とラッチボルト２２１とを連動させる（アンロック）させる状態とを切り替える切り替え機構を備える構成としてもよい。
【００５５】
そして、錠機構１０２は、駆動キー１２２を駆動して第二ハンドル１２とラッチボルト２２１との連動を遮断することによってラッチボルト２２１を扉２内に引き込めないようにすることで扉２を施錠し、駆動キー１２２を駆動して第二ハンドル１２とラッチボルト２２１とを連動させてラッチボルト２２１を扉２内に引き込めるようにすることによって扉２を解錠する構成としてもよい。
【００５６】
また、錠機構１０２は、扉２を施錠しなくてもよい。扉２は、例えば閉じられたときに自動的に施錠されるオートロック機構を備えていてもよく、錠機構１０２は、認証結果に応じて解錠のみを行う構成であってもよい。
【００５７】
図４は、本発明に係る電源制御システムの主に電気的構成の一例を概念的に示すブロック図である。図４に示す電源制御システム４は、錠制御ユニット１と電源制御装置６とを備えている。
【００５８】
錠制御ユニット１は、カメラ１０１、錠機構１０２、接触検知部１７、無線送信部１８、キャパシタ１８１、赤外線ＬＥＤ（Light Emitting Diode）３１（光源）、発振回路３３、光検出部３２、接続端子１１２、及び制御部１０４を備えている。錠機構１０２は、駆動部１２１と、駆動キー１２２とを含む。接触検知部１７は、プルダウン抵抗１７１、ＣＭＯＳ（Complementary Metal Oxide Semiconductor）インバータ１７２、及び保持回路１７３を含む。光検出部３２は、フォトダイオード３２１（変換部）、ハイパスフィルタ３２２、及びＡＣ／ＤＣコンバータ３２３を含む。
【００５９】
カメラ１０１、駆動部１２１、無線送信部１８、保持回路１７３、無線送信部１８、発振回路３３、及びＡＣ／ＤＣコンバータ３２３は、制御部１０４に接続されている。
【００６０】
駆動部１２１は、例えばモータやギヤ機構を用いて構成されている。駆動部１２１は、制御部１０４からの制御信号に応じて駆動キー１２２を回動させる。錠制御ユニット１が扉２に取り付けられていると、駆動キー１２２が錠側係合部２２５と係合しているので、駆動キー１２２の回動と連動して錠側係合部２２５が回動される。錠側係合部２２５の回動は図略の伝達機構によって直線運動に変換され、デッドボルト２２２が進退される。
【００６１】
デッドボルト２２２が進んで扉２の戸先２５から突出すると扉２が施錠され、デッドボルト２２２が退いて扉２の戸先２５に没入すると扉２が解錠される。すなわち錠機構１０２は、錠制御ユニット１が取り付けられた扉２の施錠と解錠とを切り替える。
【００６２】
接続端子１１２は、導電部材５によって第一ハンドル１１と導電接続されている。第一ハンドル１１は、例えば金属などの導電材料を用いて構成されている。接続端子１１２は、接触検知部１７と、無線送信部１８とに電気的に接続されている。より具体的には、接続端子１１２は、ＣＭＯＳインバータ１７２の入力端子に接続され、ＣＭＯＳインバータ１７２の入力端子は、プルダウン抵抗１７１によってプルダウンされ、グラウンドに接続されている。プルダウン抵抗１７１は、例えば１０ＭΩ程度の高抵抗とされている。また、接続端子１１２は、キャパシタ１８１を介して無線送信部１８の出力端子に接続されている。
【００６３】
保持回路１７３は、短時間のパルスやスパイク状の信号を、制御部１０４で検知可能な時間幅のパルス信号に変換する回路である。保持回路１７３としては、例えば単安定マルチバイブレータ回路を用いることができる。
【００６４】
図５は、導電部材５による接続構造を説明するための説明図である。図５（ａ）は、第一ハンドル１１と第二ハンドル１２とが分離された状態を示している。第一ハンドル１１には、第一把持部２１３と嵌合部２１４とを絶縁する絶縁部２１８が設けられている。絶縁部２１８は、例えば樹脂やセラミックなどの絶縁層により構成されている。
【００６５】
シャフト２１２は、例えば管状にされており、シャフト２１２内に導電部材５が挿通されている。導電部材５は、例えば針金状の導電部材により形成されている。導電部材５の先端部は、シャフト２１２の先端部から突出するようにされている。導電部材５の後端部は、シャフト２１２の後端付近から外部に引き出されている。導電部材５のシャフト２１２内に位置する部分は、絶縁被覆５１で覆われて、導電部材５とシャフト２１２とが絶縁されている。
【００６６】
図５（ｂ）は、第一ハンドル１１、第二ハンドル１２、及び錠制御ユニット１を、扉２に取り付けた状態を説明するための説明図である。図５（ｂ）に示すように、シャフト２１２の先端部は嵌合部２１４と嵌合して取り付けられ、シャフト２１２の先端部から突出した導電部材５の先端が、第一把持部２１３に当接して第一把持部２１３と導電部材５とが導通するようにされている。シャフト２１２の後端付近から外部に引き出された導電部材５の後端部が制御部１０４の接続端子１１２に接続されている。
【００６７】
これにより、絶縁部２１８によって、第一把持部２１３と第二把持部２１０とが絶縁され、導電部材５によって接触検知部１７及び無線送信部１８と第一把持部２１３とが電気的に接続され、絶縁部２１８によって接触検知部１７及び無線送信部１８と第二把持部２１０とが絶縁される。
【００６８】
第一ハンドル１１は、扉２の内側、すなわち室内に配設されるハンドルであるから、室内から外に出ようとするユーザは、扉２を開けるために第一ハンドル１１の第一把持部２１３を握る。人体が静電気帯電している場合、ユーザが第一把持部２１３に触れると、その帯電電圧、すなわち第一把持部２１３から得られる電気信号が、ユーザが触れた第一把持部２１３、導電部材５、及び接続端子１１２を介してＣＭＯＳインバータ１７２に入力される。
【００６９】
あるいは、人体は導電性を有するので、室内の電磁波の不要輻射、例えば交流電源の５０Ｈｚ又は６０Ｈｚの周波数を有する電磁波をユーザの体がアンテナとして受信し、その周波数を有する微弱な信号が、第一把持部２１３から得られる電気信号として、ユーザが握った第一把持部２１３、導電部材５、及び接続端子１１２を介してＣＭＯＳインバータ１７２に入力される。ＣＭＯＳインバータ１７２の入力はハイインピーダンスであり、プルダウン抵抗１７１も高抵抗にされているため、このような微弱な信号であってもＣＭＯＳインバータ１７２のスレッショルドレベルを超える充分な電圧が得られ、ＣＭＯＳインバータ１７２でパルス信号に変換されて保持回路１７３に入力される。
【００７０】
そしてこのパルス信号が、保持回路１７３で制御部１０４で検知可能な時間幅のパルス信号に変換される。この場合、保持回路１７３の出力信号は、ユーザが第一ハンドル１１に触れたことを示す検知信号となる。
【００７１】
これにより、接触検知部１７は、扉２の内側の第一ハンドル１１にユーザが触れたことを検出することができる。一方、扉２の外側の第二ハンドル１２は、絶縁部２１８によって第一ハンドル１１と絶縁されているので、第二ハンドル１２にユーザが触れても、接触検知部１７はユーザが触れたことを検出しない。
【００７２】
なお、接触検知部は、第一把持部２１３から得られる電気信号に基づいて、ユーザが第一把持部２１３に触れたことが検出できればよく、その検出方法としては、接触センサ又はタッチセンサ等として知られている種々の方式を用いることができる。
【００７３】
また、絶縁部２１８は、第一ハンドル１１と第二ハンドル１２とを絶縁できればよく、必ずしも絶縁部２１８を第一ハンドル１１に設ける例に限らない。例えば、絶縁部２１８を、シャフト２１２と取付部２１１の間に設けてもよい。あるいは、絶縁部２１８を、取付部２１１と第二把持部２１０の間に設けてもよい。あるいは、嵌合部２１４を絶縁材料で構成し、嵌合部２１４を絶縁部として用いてもよい。
【００７４】
また、絶縁部２１８を設けず、例えば第二把持部２１０及び軸部２１のうち少なくとも一つを、絶縁材料を用いて構成してもよい。また、シャフト２１２及び取付部２１１のうちいずれか一方を絶縁材料から構成することによって、軸部２１を、絶縁材料を用いて構成するようにしてもよい。
【００７５】
また、絶縁部２１８及び導電部材５を備えず、軸部２１における少なくともシャフト２１２を導電性の部材とし、第二把持部２１０を絶縁性の材料を用いて構成し、さらにシャフト２１２と接続端子１１２とを導通させることによって、第一ハンドル１１と接触検知部１７とを電気的に接続するようにしてもよい。
【００７６】
無線送信部１８は、キャパシタ１８１、接続端子１１２、及び導電部材５を介して第一ハンドル１１の第一把持部２１３に電気的に接続されている。無線送信部１８は、制御部１０４からの制御信号に応じて無線周波数の信号を第一把持部２１３へ出力することにより、第一把持部２１３をアンテナとして機能させ、第一把持部２１３から電源制御装置６へ無線信号を送信させる。無線周波数としては、特定省電力無線に用いられる８００ＭＨｚ〜１ＧＨｚの周波数を好適に用いることができる。
【００７７】
錠制御ユニット１は既存の扉２の外面２３に取り付けられているので、筐体１０内にアンテナを設けると、室内の電源制御装置６へ無線信号を送信するためには扉２を通過することによる減衰量を補うように、無線信号の強度を高める必要がある。室外のアンテナから出力される無線信号の強度を高めると、本来無線信号を送信する必要のない室外空間や他の部屋に届く不要な無線信号の強度が高まることとなり好ましくない。
【００７８】
一方、電源制御システム４によれば、既存の扉２の外面２３に取り付けられ、すなわち部屋の外側に位置する錠制御ユニット１が、部屋の内側に位置する第一把持部２１３をアンテナとして機能させることができる。その結果、室外にアンテナを設けた場合よりも電源制御装置６へ送信する無線信号強度を弱くすることができる。第一把持部２１３から出力される無線信号強度を弱くすると、消費電力の低減が可能であり、かつ室外や他の部屋に届く無線信号は扉２で減衰されてさらに弱くなるので、消費電力低減及び第三者への妨害電波低減の観点でも好ましい。
【００７９】
無線送信部１８としては、所定の周波数信号を出力する発振回路の他、種々の無線送信用の回路を用いることができる。
【００８０】
発振回路３３は、制御部１０４から出力されたオンオフ信号に応じて、オンオフ信号がオンのとき、１２０Ｈｚより高い点滅周波数、例えば１ｋＨｚ〜１０ＫＨｚ程度の点滅周波数の周波数信号を、赤外線ＬＥＤ３１へ出力する。具体的には、発振回路３３は、制御部１０４からオフ信号が出力されたとき赤外線ＬＥＤ３１を消灯させ、制御部１０４からオン信号が出力されたとき、上記周波数信号を出力して赤外線ＬＥＤ３１をその周波数で点滅させる。
【００８１】
なお、発振回路３３は、制御部１０４からの信号にかかわらず、常時周波数信号を赤外線ＬＥＤ３１へ出力して赤外線ＬＥＤ３１を点滅周波数で点滅させてもよい。点滅周波数で赤外線ＬＥＤ３１から放射された赤外線光は、扉２が閉じていれば、扉枠２６に取り付けられたストライク２７で反射する。
【００８２】
図６、図７は、扉２の開閉状態の検知方法を説明するための説明図である。図６は扉２が閉じている状態を示し、図７は扉２が開いている状態を示している。
【００８３】
赤外線ＬＥＤ３１及びフォトダイオード３２１は、筐体１０の戸先２５側側面に配設され、戸先２５側に向かって、外面２３に沿い、かつ外面２３に近接して赤外光を放射する。赤外線ＬＥＤ３１は、扉２が閉じたときにストライク２７が位置する方向へ赤外線光を放射する。
【００８４】
赤外線ＬＥＤ３１から放射される赤外線光Ｂの中心は、外面２３と略平行に、かつ外面２３からの距離Ｌが、１ｃｍ以下、より好ましくは５ｍｍ以下にされている。赤外線ＬＥＤ３１及びフォトダイオード３２１は、上下方向において、扉２の戸先２５にラッチボルト２２１が設けられている位置に取り付けられている。
【００８５】
通常、一般的に、扉２が取り付けられる壁面の戸先２５側の扉枠２６には、扉を閉めるときにラッチボルト２２１がスムーズに扉２内に退避するように、かつラッチボルト２２１が扉枠２６に当たって扉枠２６が傷つかないように、ラッチボルト２２１の上下方向の位置に合わせてストライク２７が取り付けられている。
【００８６】
ストライク２７は、略矩形状の金属板であって、その端縁が鈍角又はＲ形状で折り曲げられて先端ガイド部２７２とされている。ストライク２７は、先端ガイド部２７２が扉枠２６の端面から、扉２が開く側に水平方向に先端ガイド部２７２が突出する向きに取り付けられている。先端ガイド部２７２は、扉２から離れる方向に曲げられている。また、ストライク２７には、ラッチボルト２２１を受け入れるストライク孔２７１が形成されている。
【００８７】
図６に示すように、扉２が閉じた状態では、赤外線ＬＥＤ３１から放射される赤外線光Ｂは、ストライク２７の先端ガイド部２７２に当たって反射し、その反射光Ｃがフォトダイオード３２１で受光される。
【００８８】
フォトダイオード３２１は、受光した反射光Ｃを電気信号に変換し、ハイパスフィルタ３２２へ出力する。ハイパスフィルタ３２２は、赤外線ＬＥＤ３１から出力された赤外線光Ｂの点滅周波数をＡＣ／ＤＣコンバータ３２３へ通過させる。ハイパスフィルタ３２２の遮断周波数は、１２０Ｈｚ以上であって、かつ赤外線光Ｂの点滅周波数よりも低い周波数にされている。
【００８９】
これにより、ハイパスフィルタ３２２は、反射光Ｃがフォトダイオード３２１で受光されて得られた電気信号を通過させる。
【００９０】
ＡＣ／ＤＣコンバータ３２３は、ハイパスフィルタ３２２から出力された交流信号を直流信号に変換し、反射光Ｃの検出信号として制御部１０４へ出力する。ＡＣ／ＤＣコンバータ３２３としては、いわゆる整流回路を用いることができる。
【００９１】
フォトダイオード３２１は、太陽光や照明光を受光する場合がある。しかしながら、このような太陽光や照明光は、通常、ハイパスフィルタ３２２の遮断周波数より高い点滅の周波数成分を有さないので、このような光がフォトダイオード３２１で受光された場合であっても、その出力信号はハイパスフィルタ３２２で遮断される。照明光の中でも、蛍光灯の場合は、商用交流周波数の２倍、１００Ｈｚ又は１２０Ｈｚで点滅する。しかしながら、ハイパスフィルタ３２２の遮断周波数は１２０Ｈｚ以上にされており、１２０Ｈｚ以下の周波数を遮断するので、光検出部３２は、蛍光灯の光を誤って検出することが防止される。
【００９２】
一方、図７に示すように、扉２が開いた状態では、赤外線ＬＥＤ３１から放射される赤外線光Ｂは、ストライク２７に当たらないため、その反射光がフォトダイオード３２１で受光されることがない。従って、光検出部３２から制御部１０４へ検出信号が出力されることがない。
【００９３】
このようにして、発振回路３３、赤外線ＬＥＤ３１、及び光検出部３２によれば、扉２の開閉状態を表す反射光Ｃの検出信号を制御部１０４へ出力することができる。
【００９４】
制御部１０４は、例えば、所定の演算処理を実行するＣＰＵ（Central Processing Unit）、データを一時的に記憶するＲＡＭ（Random Access Memory）、所定の制御プログラムやデータを記憶する不揮発性の記憶装置、タイマ回路、及びこれらの周辺回路等を備えている。記憶装置は、虹彩認証の判定を行うための判定基準となる基準情報を記憶する記憶部１４６としても機能する。また、制御部１０４は、所定の制御プログラムを実行することによって、開閉検知部１４１、オートロック制御部１４２、画像処理部１４３、認証部１４４、及び錠制御部１４５として機能する。
【００９５】
開閉検知部１４１は、光検出部３２による光の検出の有無を示す検出信号に基づいて扉２の開閉状態を検知する。すなわち開閉検知部１４１は、光検出部３２から検出信号が出力されたとき、扉２が閉まっていることを検知する。
【００９６】
オートロック制御部１４２は、接触検知部１７によってユーザが第一把持部２１３に触れたことが検出されたとき、錠機構１０２によってデッドボルト２２２を退避させて扉２を解錠させる。また、オートロック制御部１４２（制御部）は、開閉検知部１４１によって扉２が閉まっていることが検知されたとき、錠機構１０２によりデッドボルト２２２を突出させて扉２を施錠させる。
【００９７】
なお、オートロック制御部１４２は、開閉検知部１４１によって扉２が閉まっていることが、予め設定された監視時間以上継続して検知されたとき、錠機構１０２によりデッドボルト２２２を突出させて扉２を施錠させる構成としてもよい。監視時間は、例えば１秒程度とすることができる。監視時間を設けることで、ユーザが誤って扉２を閉めてしまった場合に、監視時間以内であれば扉２を開けることができるので、いわゆる締め出しを防止することができる。
【００９８】
画像処理部１４３は、カメラ１０１によって撮像された画像から、公知の画像認識技術により虹彩の画像を抽出し、認証部１４４へ出力する。画像処理部１４３は、虹彩の画像から特徴データを抽出し、その特徴データを認証部１４４へ出力してもよい。
【００９９】
認証部１４４は、画像処理部１４３から出力された虹彩の画像又はその特徴データに基づき、公知の虹彩認証技術により虹彩認証を実行する。具体的には、認証部１４４は、画像処理部１４３から送られてきた虹彩の画像、又はその画像から得られた特徴データを、記憶部１４６に記憶されている基準情報と照合することによって、虹彩認証を実行する。認証部１４４は、認証情報取得部（カメラ１０１）で取得された認証情報に基づく認証結果を取得する認証結果取得部の一例に相当している。
【０１００】
なお、錠制御ユニット１は、必ずしも認証部１４４及び記憶部１４６を備える例に限らない。認証部１４４及び記憶部１４６を、外部のサーバ装置等から構成された認証装置に備えてもよい。そして、錠制御ユニット１は認証部１４４及び記憶部１４６の代わりに、認証装置と有線又は無線により通信を行うことによって認証装置から認証結果を取得する通信回路を認証結果取得部の一例として備えてもよい。そして、通信回路が、画像処理部１４３で得られた虹彩の画像、又はその画像から得られた特徴データを認証装置へ送信し、通信回路が認証装置からその認証結果を受信することによって、認証情報に基づく認証結果を取得する構成としてもよい。
【０１０１】
また、画像処理部１４３、認証部１４４、及び記憶部１４６を、外部のサーバ装置等から構成された認証装置に備えてもよい。そして、錠制御ユニット１は画像処理部１４３、認証部１４４、及び記憶部１４６の代わりに認証装置と有線又は無線により通信を行う通信回路を認証結果取得部の一例として備えてもよい。そして、通信回路が、カメラ１０１によって撮像された画像を認証装置へ送信し、通信回路が認証装置からその認証結果を受信することによって、認証情報に基づく認証結果を取得する構成としてもよい。
【０１０２】
錠制御部１４５（制御部）は、認証が成功すると、駆動部１２１を駆動して駆動キー１２２を回動させ、扉２を解錠させる。これにより、認証に成功したユーザが扉２を開けることが可能になる。
【０１０３】
また、錠制御部１４５は、認証が成功すると、開閉検知部１４１による扉２の開閉検知結果に基づいて無線送信部１８へ制御信号を出力し、無線送信部１８によって、第一ハンドル１１から電源制御装置６へ第一無線信号を送信させる。第一無線信号は、電源制御装置６へ、室内の電源オンを要求する信号として予め設定されている。
【０１０４】
また、錠制御部１４５は、接触検知部１７によってユーザが第一把持部２１３に触れたことが検知されたとき、開閉検知部１４１による扉２の開閉検知結果に基づいて無線送信部１８へ制御信号を出力し、無線送信部１８によって、第一ハンドル１１から電源制御装置６へ第二無線信号を送信させる。第二無線信号は、第一無線信号とは異なる信号であり、電源制御装置６へ、室内の電源オフを要求する信号として予め設定されている。
【０１０５】
図８は、図２に示す電源制御装置６の構成の一例を示すブロック図である。図８に示す電源制御装置６は、アンテナ６１、無線通信回路６２（受信部）、電源制御部６３、及びスイッチ部６４を備えている。
【０１０６】
扉２が取付られた部屋の室内には、室内電気機器６６が設けられている。室内電気機器６６は、室内の照明や、室内の電源コンセント等である。室内電気機器６６は、電源配線６５及びスイッチ部６４を介して、商用交流電源ＡＣと接続されている。
【０１０７】
アンテナ６１は、無線信号を受信するアンテナである。無線通信回路６２は、アンテナ６１を介して第一及び第二無線信号を受信する無線通信回路である。スイッチ部６４は、例えばトライアックやリレーなどのスイッチング素子である。電源制御部６３は、例えばマイクロコンピュータや論理回路等により構成されている。電源制御部６３は、無線通信回路６２によって第一無線信号が受信されたときスイッチ部６４をオンさせ、無線通信回路６２によって第二無線信号が受信されたときスイッチ部６４をオフさせる。
【０１０８】
次に、上述のように構成された錠制御ユニット１及び電源制御システム４の動作について説明する。図９は、錠制御ユニット１及び電源制御システム４の動作の一例を示すフローチャートである。ユーザが室内にいて、部屋を出ようとして第一ハンドル１１を握ると、接触検知部１７によってユーザが第一把持部２１３にタッチしたことが検知され、その検知信号が制御部１０４へ出力される（ステップＳ１）。
【０１０９】
検知信号が制御部１０４へ出力されると、オートロック制御部１４２は、錠機構１０２によってデッドボルト２２２を退避させて扉２を解錠させる（ステップＳ２）。これにより、部屋から出たいユーザは、サムターンを操作するなどの手動解錠操作を行うことなく、第一ハンドル１１を操作してラッチボルト２２１を退避させ、扉２を開いて外に出ることができる。
【０１１０】
オートロック制御部１４２は、扉２が解錠（ステップＳ２）されてから予め設定された開閉監視時間の間に、開閉検知部１４１によって扉２が開いたことが検知され（ステップＳ３でＹＥＳ）、その後に開閉検知部１４１によって扉２が閉じたことが検知されたとき（ステップＳ４でＹＥＳ）、錠機構１０２によってデッドボルト２２２を突出させて扉２を施錠させる（ステップＳ５）。開閉監視時間としては、通常、ユーザが第一ハンドル１１を握ってから扉２を開けるまでの時間が適宜設定されている。開閉監視時間は、例えば１秒とされている。
【０１１１】
次に、錠制御部１４５は、無線送信部１８によって室内の第一ハンドル１１から第二無線信号を送信させる（ステップＳ６）。そうすると、電源制御装置６によってスイッチ部６４がオフされ、室内電気機器６６への電力供給が遮断される。
【０１１２】
以上、ステップＳ１〜Ｓ５の処理により、部屋から外に出るときは解錠操作が不要で、扉２を閉めたら自動的に施錠されるいわゆるオートロックが可能となる。そして、錠制御ユニット１は、上述したように既存の扉２に容易に取り付けることができるから、既存の扉に対してオートロック機構を取り付けることが容易となる。
【０１１３】
また、ステップＳ４で扉２が閉じたとき（ステップＳ４でＹＥＳ）、ユーザが部屋の外に出たと考えられるので、ステップＳ１，Ｓ３，Ｓ４，Ｓ６の処理によれば、ユーザが部屋から外に出たときは、無人となった部屋の室内電気機器６６への電力供給が自動的に遮断されるので、不要な電力消費を低減し、省エネルギー化を図ることができる。
【０１１４】
一方、ステップＳ３において、錠機構１０２によって扉２が解錠されてから開閉監視時間の間に、開閉検知部１４１によって扉２が開いたことが検知されなかった場合（ステップＳ３でＮＯ）、ユーザは第一ハンドル１１を握っただけで扉２を開けなかったと考えられるので、扉２が解錠されたままになることを防止するべくオートロック制御部１４２は、錠機構１０２によってデッドボルト２２２を突出させて扉２を施錠させる（ステップＳ７）。
【０１１５】
ステップＳ３，Ｓ７によれば、ユーザが扉２を開けて部屋を出ようとして第一ハンドル１１を握った後、扉２を開けるのを止めた場合、扉２が施錠されるので、部屋のセキュリティが向上する。
【０１１６】
なお、ステップＳ３，Ｓ７では、錠機構１０２によって扉２が解錠されてから開閉監視時間の間に開閉検知部１４１によって扉２が開いたことが検知されなかった場合（ステップＳ３でＮＯ）に扉２を施錠する（ステップＳ７）例を示したが、オートロック制御部１４２は、錠機構１０２によって扉２が解錠されてから予め設定された接触監視時間の間、接触検知部１７によってユーザが第一把持部２１３に継続的に触れていることが検知されたとき、錠機構１０２によって扉２を施錠させるようにしてもよい。接触監視時間は、ユーザが扉２を開ける場合に通常第一ハンドル１１に触れている時間よりも長い時間を適宜設定することができる。接触監視時間は、例えば２秒以上とすることができる。
【０１１７】
ユーザが長時間第一ハンドル１１を握り続けている場合、扉２を開ける意思がないと考えられる。そこで、オートロック制御部１４２は、錠機構１０２によって扉２が解錠されてから接触監視時間の間、接触検知部１７によってユーザが第一把持部２１３に継続的に触れていることが検知されたときに錠機構１０２によって扉２を施錠させることにより、ユーザが扉２を開ける意思がない場合に扉２が施錠されるので、部屋のセキュリティが向上する。
【０１１８】
また、ステップＳ４を実行しなくても、ステップＳ３で扉２が開いた場合には、ユーザは部屋の外に出る可能性が高い。そこで、ステップＳ６の第二無線信号の送信を、ステップＳ３とステップＳ４の間で実行してもよい。あるいは、ユーザが第一ハンドル１１を握った時点でユーザは部屋の外に出る可能性が高いと考えられるから、ステップＳ６の第二無線信号の送信を、ステップＳ１とステップＳ３の間で実行してもよい。しかしながら、ステップＳ３の後にステップＳ６を実行した方が、ユーザが部屋を出てから電源オフすることの確実性が向上し、ステップＳ４の後にステップＳ６を実行した方が、ユーザが部屋を出てから電源オフすることの確実性がさらに向上する。
【０１１９】
あるいは、錠制御部１４５及び無線送信部１８を備えず、ステップＳ６を実行しなくてもよい。また、オートロック制御部１４２を備えず、ステップＳ５，Ｓ７を実行せず、ステップＳ２〜Ｓ６を錠制御部１４５が実行するようにしてもよい。
【０１２０】
図１０は、ユーザが扉２の外側から扉２を開こうとするときの錠制御ユニット１及び電源制御システム４の動作の一例を示すフローチャートである。例えば図１に示すように、扉２を開けようとするユーザが扉２の前に立ち、錠制御ユニット１のコールドミラー１６に自分の目が写るようにする。そうすると、カメラ１０１によってユーザの目が撮像される（ステップＳ１１）。錠制御ユニット１は、例えば錠制御ユニット１近傍で人体を検知する人感センサを備え、人感センサにより人体が検知されたときにカメラ１０１が撮像を行う構成としてもよい。
【０１２１】
次に、カメラ１０１によって撮像された撮像画像から、画像処理部１４３によって虹彩画像が抽出される（ステップＳ１２）。次に、認証部１４４は、記憶部１４６に記憶されている基準情報と、抽出された虹彩画像とに基づき、虹彩認証を実行する（ステップＳ１３）。
【０１２２】
そして、認証が成功した場合（ステップＳ１４でＹＥＳ）、錠制御部１４５は、駆動部１２１を駆動して扉２を解錠し（ステップＳ１５）、ステップＳ１６へ処理を移行する。一方、認証が失敗した場合（ステップＳ１４でＮＯ）、錠制御部１４５は、扉２を解錠することなく施錠状態を維持したまま処理を終了する。
【０１２３】
ステップＳ１６において、錠制御部１４５は、扉２が解錠（ステップＳ１５）されてから予め設定された開閉監視時間の間に、開閉検知部１４１によって扉２が開いたことが検知され（ステップＳ１６でＹＥＳ）、その後に開閉検知部１４１によって扉２が閉じたことが検知されたとき（ステップＳ１７でＹＥＳ）、錠機構１０２によってデッドボルト２２２を突出させて扉２を施錠させる（ステップＳ１８）。
【０１２４】
ステップＳ１６における開閉監視時間としては、通常、認証が成功してからユーザが第二ハンドル１２を握って扉２を開けるまでの時間が適宜設定されている。錠制御ユニット１は、認証が成功した場合、例えば図略のブザー、ＬＥＤ、表示装置等によって、音、光、メッセージ等で認証の成功をユーザに報知するようにされている。ステップＳ１６における開閉監視時間は、例えば３秒とされている。
【０１２５】
次に、錠制御部１４５は、無線送信部１８によって室内の第一ハンドル１１から第一無線信号を送信させる（ステップＳ１９）。そうすると、電源制御装置６によってスイッチ部６４がオンされ、室内電気機器６６への電力供給が開始されて、室内の照明が点灯されたり、電気機器が使用可能になったりする。
【０１２６】
ステップＳ１７で扉２が閉じたとき（ステップＳ１７でＹＥＳ）、ユーザが部屋の外から中に入ったと考えられるので、ステップＳ１１〜Ｓ１９の処理によれば、扉２の外でユーザが錠制御ユニット１によって虹彩認証を行うことで、認証が成功した場合に扉２が解錠され、ユーザが部屋に入って扉２を閉めたとき（ステップＳ１７でＹＥＳ）に自動的に扉２が施錠され（ステップＳ１８）、かつ室内電気機器６６を使用可能にできる（ステップＳ１９）オートロックシステムが実現される。
【０１２７】
一方、ステップＳ１６において、錠機構１０２によって扉２が解錠されてから開閉監視時間の間に、開閉検知部１４１によって扉２が開いたことが検知されなかった場合（ステップＳ１６でＮＯ）、ユーザは虹彩認証を行っただけで扉２を開けなかったと考えられるので、扉２が解錠されたままになることを防止するべく錠制御部１４５は、錠機構１０２によってデッドボルト２２２を突出させて扉２を施錠させる（ステップＳ２０）。
【０１２８】
ステップＳ１６，Ｓ２０によれば、ユーザが扉２を開けて部屋に入ろうとして虹彩認証を行った後、扉２を開けるのを止めた場合、扉２が施錠されるので、部屋のセキュリティが向上する。
【０１２９】
なお、ステップＳ１７を実行しなくても、ステップＳ１６で扉２が開いた場合には、ユーザは部屋の中に入る可能性が高い。そこで、ステップＳ１９の第一無線信号の送信を、ステップＳ１６とステップＳ１７の間で実行してもよい。あるいは、ユーザが虹彩認証を行った時点でユーザは部屋の中に入る可能性が高いと考えられるから、ステップＳ１９の第一無線信号の送信を、ステップＳ１４とステップＳ１６の間で実行してもよい。しかしながら、ステップＳ１６の後にステップＳ１９を実行した方が、ユーザが部屋に入るときに電源オンする確実性が向上し、ステップＳ１７の後にステップＳ１９を実行した方が、ユーザが部屋に入るときに電源オンする確実性がさらに向上する。
【０１３０】
また、錠制御ユニット１は、オートロック制御部１４２を備えず、ステップＳ１〜Ｓ７を実行しない構成であってもよい。
【０１３１】
また、錠制御ユニット１は、虹彩認証によりユーザを認証する虹彩認証装置として構成され、認証情報取得部としてユーザを認証するための認証情報である虹彩画像を撮像するカメラ１０１を備える例を示した。しかしながら、錠制御ユニット１がユーザを認証する方法は、虹彩認証に限られず、種々の認証方法を採用することができる。
【０１３２】
例えば、認証情報取得部としてユーザの指紋、静脈、又は顔画像などの生体情報を認証情報として取得するセンサを備え、認証部１４４は、これらの生体情報に基づき生体認証を行ってもよい。また、例えば認証情報取得部として暗証番号を認証情報として取得するキースイッチを備え、認証部１４４は、暗証番号に基づき認証を行ってもよい。
【符号の説明】
【０１３３】
１    錠制御ユニット
２    扉
４    電源制御システム
５    導電部材
６    電源制御装置
１０  筐体
１１  第一ハンドル
１２  第二ハンドル
１３  貫通孔
１５  傾斜面
１６  コールドミラー
１７  接触検知部
１８  無線送信部
２０  電気錠付扉
２１  軸部
２２  錠本体
２３  外面
２４  内面
２５  戸先
２６  扉枠
２７  ストライク
３１  赤外線ＬＥＤ（光源）
３２  光検出部
３３  発振回路
５１  絶縁被覆
６１  アンテナ
６２  無線通信回路（受信部）
６３  電源制御部
６４  スイッチ部
６５  電源配線
６６  室内電気機器
１０１      カメラ（認証情報取得部）
１０２      錠機構（解錠機構、施錠機構）
１０４      制御部
１１２      接続端子
１２１      駆動部
１２２      駆動キー（係合部）
１４１      開閉検知部
１４２      オートロック制御部（制御部）
１４３      画像処理部
１４４      認証部
１４５      錠制御部
１４６      記憶部
１７１      プルダウン抵抗
１７２      ＣＭＯＳインバータ
１７３      保持回路
１８１      キャパシタ
２０１      壁面
２１０      第二把持部
２１１      取付部
２１２      シャフト
２１３      第一把持部
２１４      嵌合部
２１５      嵌合穴
２１６      ボルト
２１７      ネジ穴
２１８      絶縁部
２２１      ラッチボルト
２２２      デッドボルト
２２３      ハンドル取付部
２２４      シャフト貫通穴
２２５      錠側係合部
２２６      溝部
２２７      ケース
２７１      ストライク孔
２７２      先端ガイド部
３２１      フォトダイオード（変換部）
３２２      ハイパスフィルタ
３２３      ＡＣ／ＤＣコンバータ
Ａ    撮像方向
ＡＣ  商用交流電源
Ｂ    赤外線光
Ｃ    反射光
Ｌ    距離
Ｕ    ユーザ
【図１】
2019206795.tif 000003
【図２】
2019206795.tif 000004
【図３】
2019206795.tif 000005
【図４】
2019206795.tif 000006
【図５】
2019206795.tif 000007
【図６】
2019206795.tif 000008
【図７】
2019206795.tif 000009
【図８】
2019206795.tif 000010
【図９】
2019206795.tif 000011
【図１０】
2019206795.tif 000012